(57)【要約】      （修正有）【課題】レセプタクルへの挿入時にＦＰＣ／ＦＦＣの備える端子に加えられる負荷を抑えつつ、レセプタクルの抜け落ちを防止することができるコネクタを提供する。【解決手段】スライダ２に保持された基板Ｋ１の備える接触部Ｋ１４は、空間部から外部に臨んでおり、スライダ２がレセプタクル１に挿入されることにより、レセプタクル１内に延びる上側レセプタクル端子１１及び下側レセプタクル端子１２、つまり、基板の備える端子と接続される。この状態では、スライダ２の端子導入部５の先端面５１がレセプタクル１の内壁に当接すると共に、端子導入部５の後端部の上面５３が上側レセプタクル端子１１に当接し、レセプタクル１内でのスライダ２の移動が規制されている。また、ロック片本体７１の先端部７１ｂがレセプタクル１の上壁のロック体１５に係止されて、レセプタクル１の収容口１４側へのスライダ２の移動が規制されている。【選択図】図１０
2008300129.tif 000002
【特許請求の範囲】
【請求項１】
レセプタクルと、ＦＰＣ／ＦＦＣを保持して前記レセプタクル内に挿入されるスライダとを備えたコネクタであって、
前記スライダは、前記ＦＰＣ／ＦＦＣが挿入される挿入間隙と、該挿入間隙に挿入された前記ＦＰＣ／ＦＦＣが先端側に有する電気的に接触可能な接触部が露出される空間部と、前記ＦＰＣ／ＦＦＣの先端が挿入されるＦＰＣ／ＦＦＣ先端挿入空間溝が形成された端子導入部とが設けられ、
前記レセプタクルは、前記スライダの先端部が挿入される端子収納部と、該端子収納部の内部に設けられたレセプタクル端子とを有する
ことを特徴とするコネクタ。
【請求項２】
前記レセプタクル端子は、前記端子収納部の上下に設けられていることを特徴とする請求項１に記載のコネクタ。
【請求項３】
前記端子導入部は、前記レセプタクル端子に係止されることを特徴とする請求項１又は請求項２に記載のコネクタ。
【請求項４】
前記スライダは、前記ＦＰＣ／ＦＦＣに設けられた切欠きを係止する係止片を備えることを特徴とする請求項１から３の何れかに記載のコネクタ。
【請求項５】
前記レセプタクル内に挿入された前記スライダとで前記レセプタクルの上壁を挟み込んで前記レセプタクルに対する前記スライダの移動を規制するロック部材を備えることを特徴とする請求項１から４の何れかに記載のコネクタ。
【請求項６】
前記ロック部材を前記レセプタクルの上壁に係止する係止手段を備えることを特徴とする請求項５に記載のコネクタ。
【請求項７】
請求項１〜６の何れかに記載のレセプタクル。
【請求項８】
請求項１〜６の何れかに記載のスライダ。
【発明の詳細な説明】
【技術分野】
【０００１】
本発明は、ＦＰＣ／ＦＦＣが備える端子の接続に用いるコネクタ、レセプタクル、及びスライダに関する。
【背景技術】
【０００２】
従来、この種のコネクタとしては、下記の特許文献１に記載のコネクタが開示されている。このコネクタは、フレキシブルプリント基板（以下ＦＰＣ）ケーブルの一主面に露出した第１の端子を、レセプタクル内に露出した第２の端子に接続するためのものである。ＦＰＣケーブルをレセプタクルに挿入すると、ＦＰＣケーブルの第１の端子が、レセプタクル内の第２の端子に接触し、両端子同士が接続される。
【０００３】
レセプタクルは、挿入されたＦＰＣケーブルの先端が当接して、ＦＰＣケーブルを位置決めする当接部を内部に備えている。また、レセプタクルの内部には、挿入されたＦＰＣケーブルの両主面を挟み込む一対のコンタクタが設けられている。両コンタクタは第２の端子となっている。
【０００４】
ＦＰＣケーブルがレセプタクルに挿入されると、ＦＰＣケーブルの先端に当接した両コンタクタが、互いに逆方向に弾性変形し、この変形で生じた弾性力により、その後、両コンタクタの間からＦＰＣケーブルが抜き出されるまで、ＦＰＣケーブルの両主面を挟み込んだ状態を保つ。この状態では、第２の端子を構成する各コンタクタが、ＦＰＣケーブルの一主面に露出した第１の端子と接触し、両端同士が接続されている。
【０００５】
【特許文献１】特開２００６−３２２６７号公報
【発明の開示】
【発明が解決しようとする課題】
【０００６】
上記従来のコネクタでは、レセプタクル内の一対のコンタクタが、レセプタクルに挿入されたＦＰＣケーブルと当接して弾性変形するのに伴い生じた弾性力、つまり、ＦＰＣケーブルが備える第１の端子と両コンタクタで構成される第２の端子との接触圧の働きで、ＦＰＣケーブルをレセプタクル内に嵌合保持していた。
【０００７】
しかしながら、ＦＰＣケーブルが肉薄に形成され、しかも、柔軟性を有していることから、ＦＰＣケーブルを強い力でレセプタクル内に挿入することができず、ＦＰＣケーブルの先端と接触する第２の端子の第１の端子に対する接触圧を大きくして、ＦＰＣケーブルのレセプタクル内への嵌合保持力を強めることには限界があった。このため、ＦＰＣケーブルをレセプタクルの挿入口から引き抜く力が作用すると、ＦＰＣケーブルがレセプタクルから簡単に抜け落ちてしまった。
【０００８】
本発明は、上記した点に鑑み、レセプタクルへの挿入時にＦＰＣ／ＦＦＣの備える端子に加えられる負荷を抑えつつ、ＦＰＣ／ＦＦＣのレセプタクルからの抜け落ちを防止することのできるコネクタ、レセプタクル、及びスライダを提供することを目的とする。
【課題を解決するための手段】
【０００９】
このような目的を達成するために、本発明は、レセプタクルと、ＦＰＣ／ＦＦＣを保持して前記レセプタクル内に挿入されるスライダとを備えたコネクタであって、前記スライダは、前記ＦＰＣ／ＦＦＣが挿入される挿入間隙と、該挿入間隙に挿入された前記ＦＰＣ／ＦＦＣが先端側に有する電気的に接触可能な接触部が露出される空間部と、前記ＦＰＣ／ＦＦＣの先端が挿入されるＦＰＣ／ＦＦＣ先端挿入空間溝が形成された端子導入部とが設けられ、前記レセプタクルは、前記スライダの先端部が挿入される端子収納部と、該端子収納部の内部に設けられたレセプタクル端子とを有することを特徴とする。
また、本発明は、前記レセプタクル端子は、前記端子収納部の上下に設けられていることを特徴とする。
また、本発明は、前記端子導入部は、前記レセプタクル端子に係止されることを特徴とする。
また、本発明は、前記スライダは、前記ＦＰＣ／ＦＦＣに設けられた切欠きを係止する係止片を備えることを特徴とする。
また、本発明は、前記レセプタクル内に挿入された前記スライダとで前記レセプタクルの上壁を挟み込んで前記レセプタクルに対する前記スライダの移動を規制するロック部材を備えることを特徴とする。
また、本発明は、前記ロック部材を前記レセプタクルの上壁に係止する係止手段を備えることを特徴とする。
【発明の効果】
【００１０】
本発明によれば、レセプタクルへの挿入時にＦＰＣ／ＦＦＣの備える端子に加えられる負荷を抑えつつ、レセプタクルからのＦＰＣ／ＦＦＣの抜け落ちを防止することができる。
【発明を実施するための最良の形態】
【００１１】
以下、図面を参照して、本発明の最良の形態を説明する。
図１は、本実施形態のコネクタを構成するレセプタクル１と、このレセプタクル１にＦＦＣ（以下基板という。）Ｋ１を挿入するスライダ２とを示す斜視図である。また、図２は、レセプタクル１とスライダ２との構成の概略を示す断面図である。なお、以下の説明で用いる前後，左右，上下の各方向は説明に用いる各図に示している。この前後，左右，上下は説明のために記載したもので、実際の配置と異なってよいことはもちろんである。また、基板Ｋ１としてはＦＦＣを用いることもできる。
【００１２】
コネクタは、レセプタクル１内に基板Ｋ１を挿入することにより、基板Ｋ１の主面に設けられた接触部Ｋ１４に、レセプタクル１が実装された基板Ｋ２の備える端子を接続するためのものである。図１に示すように、コネクタは、レセプタクル１と、基板Ｋ１を保持してレセプタクル１内に挿入されるスライダ２とを備えている。
【００１３】
レセプタクル１は、絶縁性を有する合成樹脂材料を構成材料として、箱状に形成されている。レセプタクル１は、スライダ２が挿入される収容口１４を前面に備えている。スライダ２の挿入されるレセプタクル１の端子収納部１３には、図２に断面で示すように、上側レセプタクル端子１１及び下側レセプタクル端子１２が収納されている。
【００１４】
上側レセプタクル端子１１は、レセプタクル１の後壁１ｂの上縁部からレセプタクル１内に延びている。上側レセプタクル端子１１は、レセプタクル１の後壁１ｂから、レセプタクル１の前側に向けてレセプタクル１の前後方向の中央部まで下方に傾斜して、端子収納部１３の高さ方向中央部近くまで延びている。上側レセプタクル端子１１の先端部１１ａは、下方に頂上を向けた山型の断面を有している。
【００１５】
また、下側レセプタクル端子１２は、レセプタクル１の下壁１ｃの前縁部からレセプタクル１内に延びている。下側レセプタクル端子１２は、レセプタクル１の下壁１ｃからレセプタクル１の後側に向けてレセプタクル１の前後方向の中央部まで上方に傾斜して、端子収納部１３の高さ方向中央部近くまで延びている。下側レセプタクル端子１２の先端部１２ａは、上方に頂上を向けた山型の断面を有している。
【００１６】
上側レセプタクル端子１１は先端部１１ａの下面を、また、下側レセプタクル端子１２は先端部１２ａの上面を、それぞれ基板Ｋ１の主面に設けられた接触部Ｋ１４に接触させ、基板Ｋ２の備える端子と接続するためのものである。本実施形態では、上側レセプタクル端子１１の先端１１ａと下側レセプタクル端子１２の先端１２ａとは、基板Ｋ１の厚さよりもやや短い距離だけ離れて位置している。
【００１７】
レセプタクル１の下壁１ｃの前縁部には、下側レセプタクル端子１２の脚部１２ｂが外部に露出する第１の切欠部１ｃ１が設けられている。また、レセプタクル１の後壁１ｂには、上側レセプタクル端子１１の脚部１１ｂが外部に露出する第２の切欠部１ｂ１が設けられている。第２の切欠部１ｂ１は、レセプタクル１の後壁１ｂの上縁部から下端にかけて延びている。上側レセプタクル端子１１は、レセプタクル１の後壁１ｂの下端から上縁部まで後壁１ｂに沿って延びた後、レセプタクル１の内部に延びている。上側レセプタクル端子１１の脚部１１ｂ及び下側レセプタクル端子１２の脚部１２ｂは、基板Ｋ１の備える回路に接続されている。
【００１８】
また、レセプタクル１の上壁１ａの上面にはロック体１５が設けられている。ロック体１５は、レセプタクル１の収容口１４側、つまり前側の端面が、下側から上側にかけて後側に向けて傾斜する傾斜面１５ａとなっている。また、ロック体１５における傾斜面１５ａと反対側の後端面は、下側から上側にかけてほぼ垂直に、上端面との角部まで延びる垂直面１５ｂとなっている。
【００１９】
レセプタクル１は、基板Ｋ２の一主面に取り付けられ、上側レセプタクル端子１１及び下側レセプタクル端子１２が基板Ｋ２の主面に設けられた銅等の導電性を有する端子に接続される。レセプタクル１は、左右の外壁面をペグＰで挟み込まれて基板Ｋ２に取り付けられる。
【００２０】
図３は、コネクタが備えるスライダ２と、このスライダ２に保持される基板Ｋ１とを示す斜視図である。スライダ２は、基板Ｋ１の主面に設けられた銅等の導電性を有する接触部Ｋ１４を外部に露出させて保持し、先端側からレセプタクル１内に挿入される部材である。接触部Ｋ１４は、基板Ｋ１の備える回路に接続されている。図３に示すように、スライダ２は、保持する基板Ｋ１よりも幅広に形成されており、基板Ｋ１の挿通される挿入間隙３と、基板Ｋ１を係止する係止片４と、基板Ｋ１の先端縁部を収容して基板Ｋ１をレセプタクル１内に導入する端子導入部５と、基板Ｋ１の主面に設けられた接触部Ｋ１４を外部に臨ませるための空間部６とを備えている。
【００２１】
図２に示すように、挿入間隙３は、基板Ｋ１の挿入される挿入口３１がスライダ２の後端面に開口し、この挿入口３１から先端側に延びて、空間部６の後端側の側壁に挿入口３１から挿入された基板Ｋ１の突出する突出口３２が開口している。挿入間隙３は、スライダ２で保持される基板Ｋ１の幅よりもやや広い幅を有し、また、基板Ｋ１の厚さよりもやや高い高さを有する略四角状を呈している。図３に示すように、スライダ２で保持される基板Ｋ１の先端部Ｋ１１は、その後側に比べて幅が狭く形成されている。挿入間隙３の両側壁３ｃには、基板Ｋ１の先端部Ｋ１１の直後の拡幅部分の前面Ｋ１３に当接して、先端側への基板Ｋ１の移動を規制する進入規制壁３ｃ１が設けられている。また、基板Ｋ１の先端部Ｋ１１の直後の幅広部分には、四角形状の孔を設けて形成された係止孔Ｋ１２が備えられている。
【００２２】
係止片４は、スライダ２に保持された基板Ｋ１のスライダ２の後方への移動を規制するためのものである。係止片４は、挿入間隙３の上壁３ａの左右両側部に設けられた弾性片から構成されている。係止片４は、挿入間隙３の上壁３ａと一体に形成されており、スライダ２の後端側から先端側に延びている。つまり、挿入間隙３の上壁３ａの左右両側部には肉薄部が設けられており、この肉薄部が係止片４を形成している。
【００２３】
図４に示すように、係止片４の下面４１は、後端部に比べて先端部が下方に位置しており、先端部の下端部が挿入間隙３の内部に進入している。つまり、係止片４は、先後方向の中央部から先端側にかけて徐々に肉厚になる形状を有しており、その上面４２は後端から先端にかけてほぼ同じ高さを保っているものの、下面４１は先後方向の中央部から先端側にかけて、係止片４の肉厚が増えるのに従って徐々に下方に傾斜している。係止片４の先端面４３は、上面４２との角部から下面４１との角部まで、ほぼ垂直に延びている。また、係止片４の上面４２は、係止片４の周囲における挿入間隙３の上壁３ａの上面よりも低く位置している。
【００２４】
端子導入部５は、基板Ｋ１の先端縁部を収容するためのものである。図３に示すように、挿入間隙３の両側壁３ｃは先端側に延びており、端子導入部５は両側壁３ｃの先端の間に掛け渡されている。図５に示すように、端子導入部５は、平坦な先端面５１を有している。端子導入部５は、先端５１から先後方向の中央部にかけて徐々に肉厚が厚くなり、後端部では後端５２にかけて肉厚が急激に薄くなっている。つまり、端子導入部５の上面５３は先端５１から先後方向の中央部にかけて緩やかに上方に傾斜した後、平坦になり、後端部は急激に下方に傾斜して後端５２に至っている。また、端子導入部５の下面５４は先端５１から先後方向の中央部にかけて緩やかに下方に傾斜した後、平坦になり、後端部は急激に上方に傾斜して後端５２に至っている。図３に示すように、端子導入部５の後端面５２には、左右の幅方向に沿って先端挿入空間溝５５が設けられている。先端挿入空間溝５５は、図５に示すように、後端面５２の高さ方向中央部に設けられており、基板Ｋ１の厚みよりもやや広い幅を有している。
【００２５】
空間部６は、基板Ｋ１の主面に設けられた接触部Ｋ１４を、外部に臨ませるための孔である。図２，図３，及び図８に示すように、空間部６は、挿入間隙３の上壁３ａ及び下壁３ｂの先端側の端面、そこから先端側に延びた挿入間隙３の両側壁３ｃの内面、及び、端子導入部５の後端面５２で囲まれて構成されている。空間部６は、挿入間隙３の上壁３ａ及び下壁３ｂの長さ（挿入間隙３の先後方向の長さ）、及び、端子導入部５の長さ（先端挿入空間溝５５の深さ）を、基板Ｋ１の先端部Ｋ１１に設けられた接触部Ｋ１４が空間部６から外部に臨む値に設定することにより構成されている。
【００２６】
図２及び図３に示すように、スライダ２が備える挿入間隙３の上壁３ａの上面には、ロック部材としてのロック片７が設けられている。ロック片７は、レセプタクル１内に挿入されたスライダ２とでレセプタクル１の上壁１ａを挟み込むロック片本体７１と、このロック片本体７１によるレセプタクル１の挟み込みを解除する挟持解除片７２とを備えている。図３に示すように、ロック片本体７１は、上方から見てコの字状を呈しており、コの字の開放端側を後端側に向けて配置されている。ロック片本体７１の後端部には、脚部７１ａが設けられている。脚部７１ａは、ロック片本体７１のコの字の開放端部から下方に延びて、挿入間隙３の上壁３ａに取り付けられている。
【００２７】
また、図２及び図３に示すように、挟持解除片７２は、スライダ２の左右の幅方向に沿って延びるロック片本体７１の先端部７１ｂの後縁部から後方に延びている。挟持解除片７２は、上方から見てコの字状を呈しており、コの字の開放端側を先端側に向けて配置されている。図２及び図３に示すように、挿入間隙３の上壁３ａの左右の幅方向に沿って延びた挟持解除片７２の後縁部には、上方に向けて突出した突条７２ａが設けられている。また、図２に示すように、挟持解除片７２の後端部には、下方に頂上を向けた山型の断面を有する支持部７２ｂが設けられている。
【００２８】
次に、このような構成を有するコネクタを用いて、レセプタクル１の内部に露出した上側レセプタクル端子１１及び下側レセプタクル端子１２、つまり、基板Ｋ２の主面に設けられた端子に、基板Ｋ１の主面に設けられた接触部Ｋ１４を接続する際の動作について説明する。まず、図６に示すように、スライダ２が備える挿入間隙３の挿入口３１に、基板Ｋ１の先端部Ｋ１１を挿入する。挿入間隙３に挿入された基板Ｋ１は、挿入間隙３の突出口３２から、空間部６内に先端部Ｋ１１を進入させる。
【００２９】
その後、図７に示すように、挿入間隙３に挿入される基板Ｋ１の先端部Ｋ１１の直後の拡幅部分の前面Ｋ１３が、挿入間隙３の内部に進入している係止片４の先端４３側の下面４１に当接すると、係止片４が上方に撓む。係止片４の下面４１が先後方向の中央部から先端側にかけて徐々に下方に傾斜していることから、基板Ｋ１が奥に挿入されるのに伴い係止片４の撓み量が増え続け、基板Ｋ１の主面上に係止片４が乗り上げる。
【００３０】
更に奥に挿入された基板Ｋ１は、図８に示すように、端子導入部５の後端面５２に設けられた先端挿入空間溝５５に先端部Ｋ１１を進入させて、先端部Ｋ１１を先端挿入空間溝５５の底面５５ａに当接させる。一方、係止片４の先端部は、基板Ｋ１の先端部Ｋ１１の直後の係止孔Ｋ１２が係止片４の下方に移動してくると、図９に示すように、撓みが解けて係止孔Ｋ１２内に落ち込み、再び挿入間隙３の内部に進入する。
【００３１】
このようにして、挿入間隙３に挿入された基板Ｋ１が、スライダ２により保持される。スライダ２に保持された基板Ｋ１は、主面に設けられた接触部Ｋ１４を、空間部６からスライダ２の外部に露出させている。また、基板Ｋ１は、先端挿入空間溝５５の底面５５ａに先端部Ｋ１１が当接することにより、先端側への移動を規制されている。また、図９に示すように、係止片４の先端面４３が係止孔Ｋ１２の側面を係止することにより、後端側への基板Ｋ１の移動が規制されている。また、基板Ｋ１の先端部Ｋ１１の直後の拡幅部分の前面Ｋ１３が挿入間隙３の両側壁３ｃに設けられた進入規制壁３ｃ１に当接して、先端側への基板Ｋ１の移動が規制されている。
【００３２】
次に、図２に太矢印で示すように、基板Ｋ１を保持したスライダ２を、先端側からレセプタクル１の収容口１４に挿入する。レセプタクル１に挿入されたスライダ２の先端部、つまり、端子導入部５は、図１０に示すように、レセプタクル１内に延びている上側レセプタクル端子１１の下面及び下側レセプタクル端子１２の上面と当接する。具体的には、端子導入部５の先端面５１と上面５３との角部が上側レセプタクル端子１１の先端部１１ａの下面に当接すると共に、先端面５１と下面５４との角部が下側レセプタクル端子１２の先端部１２ａの上面に当接する。
【００３３】
端子導入部５と当接した上側レセプタクル端子１１は上方に撓み、下側レセプタクル端子１２は下方に撓む。端子導入部５は、これらの撓みにより広げられた上側レセプタクル端子１１の先端１１ａと下側レセプタクル端子１２の先端１２ａとの隙間から、レセプタクル１の更に奥に進入する。端子導入部５の先端５１から先後方向の中央部にかけては、上面５３が緩やかに上方に傾斜し、また、下面５４が緩やかに下方に傾斜していることから、上側レセプタクル端子１１及び下側レセプタクル端子１２の撓み量は徐々に大きくなる。そして、端子導入部５の後端部５２の上面５３に上側レセプタクル端子１１が当接すると共に下面５４に下側レセプタクル端子１２が当接するまでスライダ２がレセプタクル１内に挿入されると、端子導入部５の後端部５２では上面５３が急激に下に傾斜し、また、下面５４が急激に上方に傾斜していることから、上側レセプタクル端子１１及び下側レセプタクル端子１２の撓み量が急激に小さくなる。この際、それまでの撓みにより上側レセプタクル端子１１及び下側レセプタクル端子１２に生じていた弾発力が、端子導入部５をレセプタクル１の奥側に押し込むように作用する。その後、図１１に示すように、上側レセプタクル端子１１の先端１１ａ及び下側レセプタクル端子１２の先端１２ａが空間部６内に位置する基板Ｋ１の主面に当接し、基板Ｋ１の主面に設けられた接触部Ｋ１４と、上側レセプタクル端子１１及び下側レセプタクル端子１２とが接続される。
【００３４】
一方、ロック片７の先端、つまりロック片本体７１の先端部７１ｂが、レセプタクル１のロック体１５の傾斜面１５ａに当接すると、ロック片７のロック片本体７１が上方に撓み、ロック片本体７１の先端部７１ｂがロック体１５の上に乗り上げる。スライダ２がレセプタクル１内に更に挿入されて、ロック片７のロック片本体７１の先端部７１ｂの後方、つまりロック片本体７１の先端部７１ｂと挟持解除片７２とで囲まれる空間内にロック体１５が位置すると、ロック片本体７１の撓みが解けて、図１１に示すように、ロック体１５の垂直面１５ｂ側にロック片本体７１の先端部７１ｂが落ち込む。
【００３５】
このようにして、スライダ２に保持された基板Ｋ１の備える接触部Ｋ１４と、レセプタクル１内に延びる上側レセプタクル端子１１及び下側レセプタクル端子１２、つまり、基板Ｋ２の備える端子とが接続される。この状態では、レセプタクル１内に収容されたスライダ２は、端子導入部５の先端面５１をレセプタクル１の内壁に当接させると共に、端子導入部５の後端部の上面５３を上側レセプタクル端子１１の下面に当接させている。これにより、レセプタクル１内でのスライダ２の移動が規制されている。また、ロック片本体７１の先端部７１ｂの後面がレセプタクル１の上壁１ａのロック体１５の垂直面１５ｂに係止されて、レセプタクル１の収容口１４側へのスライダ２の移動が規制されている。
【００３６】
なお、ロック片７が備える規制解除片７２の後縁部に設けられた突条７２ａを、後方に向けて下方に押圧することにより、規制解除片７２と共にロック片本体７１が上方に撓み、ロック片本体７１の先端部７１ｂのロック体１５の垂直面１５ｂへの係止を解くこと、つまり、ロック片７及びロック体１５によるスライダ２の移動規制を解除することができる。具体的には、規制解除片７２の備える突条７２ａを、後方に向けて下方に押圧すると、規制解除片７２の支持部７２ｂが下降して挿入間隙３の上壁３ａに当接し、その後、この支持部７２ｂを支点として規制解除片７２がロック片本体７１と共に先端側を上方に移動させる。これにより、ロック片７とロック体１５との係止が解かれる。
【００３７】
本実施形態のコネクタによれば、スライダ２を先端側からレセプタクル１内に挿入すると、スライダ２の主面に露出した接触部Ｋ１４に、レセプタクル１内に露出した上側レセプタクル端子１１及び下側レセプタクル端子１２が圧接されて、上側レセプタクル端子１１及び下側レセプタクル端子１２と基板Ｋ１の接触部Ｋ１４とが接続される。レセプタクル１に挿入される基板Ｋ１が、スライダ２に保持されているので、レセプタクル１内への挿入時にレセプタクル１内の部材との接触に伴って基板Ｋ１が変形するのを防止することができる。このため、上側レセプタクル端子１１及び下側レセプタクル端子１２から接触部Ｋ１４に加える圧接力を大きくして、基板Ｋ１をレセプタクル１から引き抜く力が作用したときに、基板Ｋ１がレセプタクル１から抜け落ちるのを防止することができる。しかも、レセプタクル１内への挿入時にレセプタクル１内の上側レセプタクル端子１１及び下側レセプタクル端子１２等の部材と接触して外力が加えられやすい基板Ｋ１の先端５１を端子導入部５で収容していることから、上側レセプタクル端子１１及び下側レセプタクル端子１２と基板Ｋ１の先端５１との接触を避けることができ、上側レセプタクル端子１１及び下側レセプタクル端子１２から接触部Ｋ１４に加える圧接力をより大きくして、基板Ｋ１を引き抜く力によるレセプタクル１からの基板Ｋ１の抜け落ちを、効果的に防止することができる。
【００３８】
また、本実施形態のコネクタによれば、スライダ２の先端に設けられて基板Ｋ１の先端５１を収容した端子導入部５が、基板Ｋ１の接触部Ｋ１４に接触した上側レセプタクル端子１１に係止されることから、スライダ２をレセプタクル１から引き抜く力が働いたとしても、レセプタクル１からの引き抜き方向へのスライダ２の移動が、上側レセプタクル端子１１と端子導入部５との係止により規制されており、この係止を解くためには、上側レセプタクル端子１１及び下側レセプタクル端子１２を端子導入部５で撓ませて、端子導入部５を上側レセプタクル端子１１及び下側レセプタクル端子１２の間から抜き出す必要があるため、基板Ｋ１を引き抜く力によるレセプタクル１からの基板Ｋ１の抜け落ちを、より効果的に防止することができる。
【００３９】
また、本実施形態のコネクタによれば、スライダ２の備える係止片４が基板Ｋ１の備える係止孔Ｋ１２を係止して、基板Ｋ１の移動が規制されるので、基板Ｋのスライダ２からの抜け落ちを防止することにより、基板Ｋのレセプタクル１からの抜け落ちを防止することができる。
【００４０】
また、本実施形態のコネクタによれば、レセプタクル１内に挿入されたスライダ２とロック片７とで、レセプタクル１の上壁１ａが挟み込まれて、レセプタクル１に対するスライダ２の位置が固定され、レセプタクル１からの引き抜き方向へのスライダ２の移動が規制されるため、基板Ｋ１を引き抜く力によるレセプタクル１からの基板Ｋ１の抜け落ちを、より効果的に防止することができる。
【００４１】
また、本実施形態のコネクタによれば、スライダ２とでレセプタクル１の上壁１ａを挟み込むロック片７が、ロック体１５によりレセプタクル１の上壁１ａに係止されて、レセプタクル１からの引き抜き方向へのスライダ２の移動が規制されるため、基板Ｋ１を引き抜く力によるレセプタクル１からの基板Ｋ１の抜け落ちを、より効果的に防止することができる。
【００４２】
また、本実施形態のコネクタによれば、スライダ２に保持された基板Ｋ１の各主面に設けられた接触部Ｋ１４が外部に臨む空間部６が備えられているので、レセプタクル１に挿入された基板Ｋ１の両主面の接触部Ｋ１４を、レセプタクル１内の上側レセプタクル端子１１及び下側レセプタクル端子１２に接続することができる。
【００４３】
また、本実施形態のコネクタによれば、スライダ２が備える挿入間隙３の挿入口３１に基板Ｋ１を挿入するという簡単な操作により、スライダ２に対して基板Ｋ１を固定することができる。また、基板Ｋ１を保持したスライダ２をレセプタクル１の収容口１４に挿入するという簡単な操作により、レセプタクル１内の上側レセプタクル端子１１及び下側レセプタクル端子１２と、基板Ｋ１の備える接触部Ｋ１４とを接続することができる。しかも、レセプタクル１に対するスライダ２の取付位置を固定することができる。このように、スライダ２の挿入間隙３に基板Ｋ１を挿入し、更にスライダ２をレセプタクル１に挿入するという簡単な操作で、基板Ｋ１の接触部Ｋ１４と基板Ｋ２の端子とを接続することができる。この結果、基板Ｋ１の接触部Ｋ１４と基板Ｋ２の端子との接続作業を容易に行うことが可能となる。
【００４４】
上記実施形態の説明では、レセプタクル１が上側レセプタクル端子１１及び下側レセプタクル端子１２を備え、スライダ２の備える空間部６が基板Ｋ１の両主面を外部に臨ませる構成を有していた場合について説明したが、レセプタクル１内にスライダ２を保持できるのであれば、レセプタクル１が上側レセプタクル端子１１及び下側レセプタクル端子１２の一方の端子のみを備え、空間部６が基板Ｋ１の一方の主面を外部に臨ませる構成としてもよい。例えば、基板Ｋ１の一方の主面のみに接触部Ｋ１４が設けられている場合には、上側レセプタクル端子１１及び下側レセプタクル端子１２の一方の端子に代えて他方の端子と共に基板Ｋ１及び端子導入部５を挟み込む弾性部材を設ける構成としてもよい。この場合、接触部Ｋ１４の設けられている基板Ｋ１の一方の主面のみが外部に露出するように、空間部６の一端側が閉塞された構成としてもよい。
【００４５】
また、上記実施形態の説明では、基板Ｋ１の先端部Ｋ１１の直後の拡幅部分に設けられた係止孔Ｋ１２を、スライダ２の係止片４で係止して基板Ｋ１の移動を規制した場合について説明した。しかしながら、係止片４の先端面４３で係止させて基板Ｋ１の移動を規制することができるのであれば、その構成は任意であり、例えば、基板Ｋ１の側縁部から基板Ｋ１の中央部側に向けて延びる切欠部を係止孔Ｋ１２に代えて設け、この切欠部を係止片４で係止させる構成としてもよい。
【００４６】
また、上記実施形態の説明では、挿入間隙３の上壁３ａの左右両側部に肉薄部を設けて係止片４を形成した場合について説明した。しかしながら、基板Ｋ１の係止孔Ｋ１２を係止して基板Ｋ１の移動を規制することができるのであれば、その構成は任意であり、例えば、挿入間隙３の突出口３２側の縁部から挿入口３１側に延びる２本の切り込みを設け、これら切り込みの間に位置する挿入間隙３の上壁３ａで係止片４を形成してもよい。また、挿入間隙３の上壁３ａの左右両側部（肉薄部等）に、上方から見てコの字状を呈する切り抜きを、コの字の開放端側を挿入間隙３の後側に向けて上壁３ａに設け、このコの字で囲まれた上壁３ａが係止片４を形成する構成としてもよい。
【００４７】
また、上記実施形態の説明では、係止片４の上面４２を係止片４の周囲における挿入間隙３の上壁３ａの上面よりも低く位置させることにより、基板Ｋ１に乗り上げた係止片４がレセプタクル１の内壁と干渉するのを防止した場合について説明した。しかしながら、挿入間隙３の上壁３ａの上方に突出した係止片４をレセプタクル１が収容することができるのであれば、係止片４の上面４２を係止片４の周囲における挿入間隙３の上壁３ａの上面よりも低く位置させる必要はない。
【図面の簡単な説明】
【００４８】
【図１】本発明の一実施形態のコネクタを構成するレセプタクルと、基板を保持してレセプタクルに挿入されるスライダとを示す斜視図である。
【図２】図１に示すレセプタクルとスライダとの構成の概略を示す断面図である。
【図３】コネクタが備えるスライダと、このスライダに保持される基板とを示す斜視図である。
【図４】図３に示すスライダが備える係止片を拡大して示す断面斜視図である。
【図５】図３に示すスライダが備える端子導入部を拡大して示す断面斜視図である。
【図６】図３に示すスライダの挿入間隙に基板を挿入する状態を示す断面斜視図である。
【図７】図３に示すスライダの係止片に基板の拡幅部分の前面が当接した状態を示す断面斜視図である。
【図８】図３に示すスライダの端子導入部に基板の先端部が進入した状態を示す断面斜視図である。
【図９】図３に示すスライダに基板が保持された状態を示す断面斜視図である。
【図１０】図２に示すレセプタクルにスライダを挿入する状態を示す断面図である。
【図１１】図２に示すレセプタクルにスライダが挿入された状態を示す断面図である。
【符号の説明】
【００４９】
Ｋ１，Ｋ２      基板
Ｋ１１          先端部
Ｋ１２          係止孔
Ｋ１４          接触部
１              レセプタクル
１１            上側レセプタクル端子（レセプタクル端子）
１２            下側レセプタクル端子（レセプタクル端子）
２              スライダ
３              挿入間隙
４              係止片
５              端子導入部
６              空間部
７              ロック片（ロック部材）
７１            ロック片本体（係止手段）
７２            挟持解除片
１５            ロック体（係止手段）
【図１】
2008300129.tif 000003
【図２】
2008300129.tif 000004
【図３】
2008300129.tif 000005
【図４】
2008300129.tif 000006
【図５】
2008300129.tif 000007
【図６】
2008300129.tif 000008
【図７】
2008300129.tif 000009
【図８】
2008300129.tif 000010
【図９】
2008300129.tif 000011
【図１０】
2008300129.tif 000012
【図１１】
2008300129.tif 000013